(57)【要約】  発光色が異なる複数の光源の発光部(２)と、発光部の発光色に対応する分光感度特性により抽出された発光部の輝度を検出する複数の検出部(３)と、各検出部が検出した輝度を示す値を、複数の検出部が検出した輝度を示す値を用いて補正し、補正した輝度に基づき発光部の複数の光源各々を駆動する駆動値を算出する演算部(５)と、を備える。
2012164638.tif 000002
【特許請求の範囲】
【請求項１】
発光色が異なる複数の光源の発光部と、
前記発光部の発光色に対応する分光感度特性により抽出された前記発光部の輝度を検出する複数の検出部と、
前記各検出部が検出した輝度を示す値を、前記複数の検出部が検出した輝度を示す値を用いて補正し、前記補正した輝度に基づき前記発光部の複数の光源各々を駆動する駆動値を算出する演算部と、
を備えるバックライト装置。
【請求項２】
前記演算部は、前記補正を、前記発光部の複数の光源を各々発光させた場合、前記複数の検出部が各々検出した輝度と、前記発光させた場合の前記光源各々の駆動値に基づく値との連立方程式を用いて生成された予め記憶されている関係式により、前記各検出部の検出値を、前記複数の検出部が検出した輝度を用いて行う
請求項１に記載のバックライト装置。
【請求項３】
前記演算部は、前記発光部の複数の光源を発光させた白色光に対する設定に基づき前記発光部の複数の光源の各目標輝度を算出し、前記算出した各目標輝度と前記補正した各輝度を示す値とを比較し、前記比較結果に基づき、前記発光部の複数の光源に供給する各駆動値を算出する
請求項１または請求項２に記載のバックライト装置。
【請求項４】
前記白色光に対する設定は、前記発光部の色温度、輝度の少なくとも一方である
請求項１から請求項３のいずれか１項に記載のバックライト装置。
【請求項５】
前記複数の各検出部は、前記発光部各々の光を、前記発光部の複数の光源の各発光色に対応する各分光感度特性により抽出する光学色フィルタを備える
ことを特徴とする請求項１から請求項４のいずれか１項に記載のバックライト装置。
【請求項６】
発光色が異なる複数の光源の発光部を発光させるバックライト装置のバックライト制御方法であって、
検出部が、前記発光部の発光色に対応する分光感度特性により抽出された前記発光部の輝度を検出する複数の検出工程と、
演算部が、前記各検出部が検出した輝度を示す値を、前記複数の検出部が検出した輝度を示す値を用いて補正し、前記補正した輝度に基づき前記発光部の複数の光源各々を駆動する駆動値を算出する演算工程と、
を含むバックライト制御方法。
【発明の詳細な説明】
【技術分野】
【０００１】
本発明は、バックライト装置、及びバックライト制御方法に関する。
【背景技術】
【０００２】
従来技術における液晶表示装置は、ＲＧＢカラーフィルタ基板、液晶層、バックライト装置などで構成されている。このような液晶表示装置のバックライト装置は、赤（Ｒ）、緑（Ｇ）、青（Ｂ）を混合して白色光を発光させて、液晶表示装置における表示色の再現範囲を向上させることが提案されている。
従来技術におけるバックライト装置は、ＲＧＢの各色に対応する分光特性に従うカラーフィルタ付きのカラーセンサで、発光された光の輝度を検出している。そして、バックライト装置の演算手段が、混合された白色光の色度が所定の値になるような各色のバックライトの電流値を、検出された各輝度から求めている。この場合、演算手段は、分光特性に基づく各色のバックライトの光の波長変化による受光感度の変化量を１次近似して、カラーセンサの分光特性による受光感度の低下分を補正した電流値を求めるものがある（例えば、特許文献１参照）。
【先行技術文献】
【特許文献】
【０００３】
【特許文献１】特開２００８−２５１４６０号公報
【発明の概要】
【発明が解決しようとする課題】
【０００４】
しかしながら、特許文献１に記載のカラーセンサのカラーフィルタは、受光した光を図４に示すように十分に分離できない。
図４は、従来技術に係るＲＧＢカラーフィルタの光透過特性の一例を示す図である。図４において、横軸は波長、縦軸は光透過率、曲線ｇ９０１は青のフィルタの波長に対する光透過率、曲線ｇ９０２は緑のフィルタの波長に対する光透過率、曲線ｇ９０３は赤のフィルタの波長に対する光透過率である。図４に示すように、青のフィルタの透過率が２０［％］以上の帯域は、曲線ｇ９０１のように約４００［ｎｍ］〜５４０［ｎｍ］である。緑のフィルタの透過率が２０［％］以上の帯域は、曲線ｇ９０２のように約４８０［ｎｍ］〜６００［ｎｍ］である。赤のフィルタの透過率が２０［％］以上の帯域は、曲線ｇ９０３のように約５９０［ｎｍ］〜７２０［ｎｍ］である。各カラーフィルタは、図４に示したような分光特性のため、例えば、緑のカラーセンサは、約４５０［ｎｍ］〜５４０［ｎｍ］の波長の光量も検出している。また、赤のカラーセンサは、青の帯域の約３８０［ｎｍ］〜５４０［ｎｍ］の波長の光量も数［％］検出している。また、赤のカラーセンサは、緑の帯域の約５７０［ｎｍ］〜６００［ｎｍ］の波長の光量も数［％］〜２０［％］検出している。【０００５】
この結果、図５に示すように、色間の干渉が発生する。図５は、従来技術に係る色間の干渉の一例を説明する図である。図５において、横軸はバックライトの色とカラーセンサが検出する色を表し、縦軸はバックライトの発光量とカラーセンサの検出値を表す。また、符号ｇ９２１は青のカラーセンサの検出値を表し、符号ｇ９２２は青のバックライトの発光量を表している。図５に示すように、例えば、バックライトの青のみを光量ａ９１１で発光させた場合、破線で囲んだ丸ｇ９１１のように青のカラーセンサは、光量ａ９１１より小さい輝度ａ９１２を検出する。緑のカラーセンサは、破線で囲んだ丸ｇ９１２のように色間の干渉により輝度ａ９１３を検出する。赤のカラーセンサは、破線で囲んだ丸ｇ９１３のように色間の干渉により輝度ａ９１４を検出する。【０００６】
本発明は、上記の問題点に鑑みてなされたものであって、複数色によるバックライトによる表示装置において、カラーフィルタの色間干渉によるバックライト制御への影響を低減することを可能にするバックライト装置、及びバックライト制御方法を提供することを目的としている。
【課題を解決するための手段】
【０００７】
上記目的を達成するため、本発明に係るバックライト装置は、発光色が異なる複数の光源の発光部と、前記発光部の発光色に対応する分光感度特性により抽出された前記発光部の輝度を検出する複数の検出部と、前記各検出部が検出した輝度を示す値を、前記複数の検出部が検出した輝度を示す値を用いて補正し、前記補正した輝度に基づき前記発光部の複数の光源各々を駆動する駆動値を算出する演算部と、を備える。【０００８】
上記目的を達成するため、本発明は、発光色が異なる複数の光源の発光部を発光させるバックライト装置のバックライト制御方法であって、検出部が、前記発光部の発光色に対応する分光感度特性により抽出された前記発光部の輝度を検出する複数の検出工程と、演算部が、前記各検出部が検出した輝度を示す値を、前記複数の検出部が検出した輝度を示す値を用いて補正し、前記補正した輝度に基づき前記発光部の複数の光源各々を駆動する駆動値を算出する演算工程と、を含む。
【発明の効果】
【０００９】
本発明のバックライト装置は、各色の発光部を各々発光させ複数の検出部が各々検出した各発光輝度と前記発光部の各駆動値との予め記憶されている関係式を用いて、演算部が各発光部の輝度が予め定めた値となるように複数の各発光部に供給する駆動値を算出するようにした。この結果、カラーフィルタの色間干渉によるバックライト制御への影響を低減することができる。
【図面の簡単な説明】
【００１０】
【図１】本発明に係るバックライト装置１の概略構成のブロック図である。
【図２】同実施形態に係るバックライト装置１における色間の干渉の一例を説明する図である。
【図３】同実施形態に係るバックライトの高速制御時における輝度の過渡振動の一例を説明する図である。
【図４】従来技術に係るＲＧＢカラーフィルタの光透過特性の一例を示す図である。
【図５】従来技術に係る色間の干渉の一例を説明する図である。
【発明を実施するための形態】
【００１１】
以下、図面を用いて本発明の実施形態について詳細に説明する。
図１は、本発明に係るバックライト装置１の概略構成のブロック図である。図１に示すようにバックライト装置１は、発光部２、検出部３、バックライト目標色設定部４、演算部５、バックライト駆動部７を備えている。
【００１２】
発光部２は、青バックライト２１、緑バックライト２２、赤バックライト２３を備えている。
青バックライト２１は、バックライト駆動部７が出力する駆動信号により青色の光を発する光源である。青色の光の中心波長は、例えば約４６０［ｎｍ］である。緑バックライト２２は、バックライト駆動部７が出力する駆動信号により緑色の光を発する光源である。赤色の光の中心波長は、例えば約５４０［ｎｍ］である。赤バックライト２３は、バックライト駆動部７が出力する駆動信号により赤色の光を発する光源である。赤色の光の中心波長は、例えば約６６０［ｎｍ］である。
青バックライト２１、緑バックライト２２及び赤バックライト２３は、例えば発光ダイオード（ＬＥＤ；Ｌｉｇｈｔ  Ｅｍｉｔｔｉｎｇ  Ｄｉｏｄｅ）、または半導体レーザーである。
【００１３】
検出部３は、青カラーセンサ３１、緑カラーセンサ３２、赤カラーセンサ３３を備えている。
青カラーセンサ３１は、発光部２の青バックライト２１の発光色に対応する分光感度特性のカラーフィルタを有している。青カラーセンサ３１におけるカラーフィルタの分光感度特性は、例えば、従来技術における図４の曲線ｇ９０１と同様に、透過率が２０［％］以上の帯域が約４００［ｎｍ］〜５４０［ｎｍ］である。青カラーセンサ３１は、発光部２から発光された光を受光し、受光した受光量を電気信号に変換して演算部５に出力する。
緑カラーセンサ３２は、発光部２の緑バックライト２２の発光色に対応する分光感度特性のカラーフィルタを有している。緑カラーセンサ３２におけるカラーフィルタの分光感度特性は、例えば、従来技術における図４の曲線ｇ９０２と同様に、透過率が２０［％］以上の帯域が曲線ｇ９０２のように約４８０［ｎｍ］〜６００［ｎｍ］である。緑カラーセンサ３２は、発光部２から発光された光を受光し、受光した受光量を電気信号に変換して演算部５に出力する。
赤カラーセンサ３３は、発光部２の赤バックライト２３の発光色に対応する分光感度特性のカラーフィルタを有している。赤カラーセンサ３３におけるカラーフィルタの分光感度特性は、例えば、従来技術における図４の曲線ｇ９０３と同様に、透過率が２０［％］以上の帯域が約５９０［ｎｍ］〜７２０［ｎｍ］である。赤カラーセンサ３３は、発光部２から発光された光を受光し、受光した受光量を電気信号に変換して演算部５に出力する。
また、青カラーセンサ３１、緑カラーセンサ３２及び赤カラーセンサ３３は、例えばフォトセンサである。
【００１４】
バックライト目標色設定部４は、例えば、バックライト装置１の使用者が予め設定した白色発光の際の青バックライト２１、緑バックライト２２及び赤バックライト２３に対する設定値が記憶されている。
設定値とは、例えば、本実施形態のバックライト装置１を液晶表示装置に適用した場合、使用者が図示しない表示部の表示を見ながら、青バックライト２１、緑バックライト２２及び赤バックライト２３の輝度を白色発光されていると使用者が感じるように調整し、図示しない操作部で設定された値である。
【００１５】
演算部５は、変換部５１、青バックライト輝度算出部５２、緑バックライト輝度算出部５３、赤バックライト輝度算出部５４、青バックライト目標輝度算出部５５、緑バックライト目標輝度算出部５６、赤バックライト目標輝度算出部５７、青バックライト駆動値算出部５８、緑バックライト駆動値算出部５９、赤バックライト駆動値算出部６０を備えている。
変換部５１には、予め実測やシミュレーションにより算出された変換式が記憶されている。変換部５１は、青カラーセンサ３１、緑カラーセンサ３２及び赤カラーセンサ３３が出力する変換された電気信号を、次式（１）の変換式を用いて、青カラーセンサ３１の補正後の検出値、緑カラーセンサ３２の補正後の検出値及び赤カラーセンサ３３の補正後の検出値を算出する。変換部５１は、算出した各カラーセンサの補正後の検出値を、青バックライト輝度算出部５２、緑バックライト輝度算出部５３及び赤バックライト輝度算出部５４に出力する。
【００１６】
【数１】
2012164638.tif 000003
【００１７】
式（１）において、Ｂｓは青カラーセンサ３１の検出値、Ｇｓは緑カラーセンサ３２の検出値、Ｒｓは赤カラーセンサ３３の検出値、Ｂは青カラーセンサ３１の補正後の検出値、Ｇは緑カラーセンサ３２の補正後の検出値、Ｒは赤カラーセンサ３３の補正後の検出値である。
バックライト装置１の設計者は、青バックライト２１のみを発光させた場合の青カラーセンサ３１、緑カラーセンサ３２及び赤カラーセンサ３３の各検出値を測定する。同様に、設計者は、緑バックライト２２のみを発光させた場合の青カラーセンサ３１、緑カラーセンサ３２及び赤カラーセンサ３３の各検出値を測定する。設計者は、赤バックライト２３のみを発光させた場合の青カラーセンサ３１、緑カラーセンサ３２及び赤カラーセンサ３３の各検出値を測定する。このようにして測定された検出値を用いて、式（１）をバックライト装置１の設計者が算出する。
【００１８】
次に、式（１）の算出方法の一例について説明する。
青バックライト２１のみを発光させ、各カラーセンサの検出値Ｒｓ１、Ｇｓ１、Ｂｓ１が測定された場合、青バックライト２１の輝度成分Ｂ１は、次式（２）のように表される。なお、青バックライト２１の輝度値は、駆動値に予め定めた定数（例えば駆動回路の増幅乗数）を乗じた値である。このため、青バックライト２１の輝度成分Ｂ１は、駆動値に定数を乗じて算出する。なお、駆動値は、例えば、駆動電流値、または駆動電圧値であり、既知の値である。
【００１９】
Ｂ１＝ａ１１×Ｒｓ１＋ａ１２×Ｇｓ１＋ａ１３×Ｂｓ１  ・・・（２）
【００２０】
式（２）において、ａ１１、ａ１２、ａ１３は、定数である。
次に、緑バックライト２２のみを発光させ、各カラーセンサの検出値Ｒｓ２、Ｇｓ２、Ｂｓ２が測定された場合、緑バックライト２２の輝度成分Ｇ１は、次式（３）のように表される。同様に、緑バックライト２２の輝度成分Ｇ１は、駆動値に定数を乗じて算出する。
【００２１】
Ｇ１＝ａ２１×Ｒｓ２＋ａ２２×Ｇｓ２＋ａ２３×Ｂｓ２  ・・・（３）
【００２２】
式（３）において、ａ２１、ａ２２、ａ２３は、定数である。
次に、赤バックライト２３のみを発光させ、各カラーセンサの検出値Ｒｓ３、Ｇｓ３、Ｂｓ３が測定された場合、赤バックライト２３の輝度成分Ｒ１は、次式（４）のように表される。同様に、赤バックライト２３の輝度成分Ｒ１は、駆動値に定数を乗じて算出する。
【００２３】
Ｒ１＝ａ３１×Ｒｓ３＋ａ３２×Ｇｓ３＋ａ３３×Ｂｓ３  ・・・（４）
【００２４】
式（４）において、ａ３１、ａ３２、ａ３３は、定数である。
各バックライトのみを各３種類の輝度で発光させて取得した各カラーセンサの検出値と青バックライト２１または緑バックライト２２または赤バックライト２３の輝度成分を用いて、式（２）〜式（４）の連立方程式の各定数を算出する。このようにして算出した結果、式（１）に示したように、ａ１１＝１．００７、ａ１２＝０．０１６、ａ１３＝０．００５、ａ２１＝−０．１５５、ａ２２＝１．２２５、ａ２３＝−０．０１７、ａ３１＝−０．０４６、ａ３２＝０．０１４、ａ３３＝１．０９３が算出される。なお、式（１）の各要素の値は、一例であり、青カラーセンサ３１、緑カラーセンサ３２及び赤カラーセンサ３３の各カラーフィルタの特性、受光感度、受光帯域などによって異なる。
【００２５】
青バックライト輝度算出部５２は、変換部５１が出力する変換された電気信号（補正された輝度を示す値）に基づき、青バックライト２１の輝度を算出し、算出した輝度値を青バックライト駆動値算出部５８に出力する。この算出した輝度は、各カラーセンサにより実測された検出値を補正した青カラーセンサ３１の検出値である。
緑バックライト輝度算出部５３は、変換部５１が出力する変換された電気信号に基づき緑バックライト２２の輝度を算出し、算出した輝度値を緑バックライト駆動値算出部５９に出力する。この算出した輝度は、各カラーセンサにより実測された検出値を補正した緑カラーセンサ３２の検出値である。
赤バックライト輝度算出部５４は、変換部５１が出力する変換された電気信号に基づき赤バックライト２３の輝度を算出し、算出した輝度値を赤バックライト駆動値算出部６０に出力する。この算出した輝度は、各カラーセンサにより実測された検出値を補正した赤カラーセンサ３３の検出値である。
【００２６】
青バックライト目標輝度算出部５５は、バックライト目標色設定部４が出力する白色発光の際の青バックライト２１に対する設定値に基づき青バックライト２１に対する目標輝度値を算出する。青バックライト目標輝度算出部５５は、算出した青バックライト２１に対する目標輝度値を青バックライト駆動値算出部５８に出力する。
緑バックライト目標輝度算出部５６は、バックライト目標色設定部４が出力する白色発光の際の緑バックライト２２に対する設定値に基づき緑バックライト２２に対する目標輝度値を算出する。緑バックライト目標輝度算出部５６は、算出した緑バックライト２２に対する目標輝度値を緑バックライト駆動値算出部５９に出力する。
赤バックライト目標輝度算出部５７は、バックライト目標色設定部４が出力する白色発光の際の赤バックライト２３に対する設定値に基づき赤バックライト２３に対する目標輝度値を算出する。赤バックライト目標輝度算出部５７は、算出した赤バックライト２３に対する目標輝度値を赤バックライト駆動値算出部６０に出力する。
青バックライト目標輝度算出部５５が算出する目標輝度値は、発光部２を発光させて白色発光させた場合、バックライト目標色設定部４の設定値になるような青カラーセンサ３１が受光した輝度を表す値である。緑バックライト目標輝度算出部５６が算出する目標輝度値は、発光部２を発光させて白色発光させた場合、バックライト目標色設定部４の設定値になるような緑カラーセンサ３２が受光した輝度を表す値である。同様に、赤バックライト目標輝度算出部５７が算出する目標輝度値は、発光部２を発光させて白色発光させた場合、バックライト目標色設定部４の設定値になるような赤カラーセンサ３３が受光した輝度を表す値である。
【００２７】
青バックライト駆動値算出部５８は、青バックライト輝度算出部５２が出力する実測に基づく輝度値と、青バックライト目標輝度算出部５５が出力する目標輝度値とを比較し、比較結果に基づき青バックライト２１の駆動信号を生成する。青バックライト駆動値算出部５８は、例えば、目標輝度値と輝度値との差を０にする青バックライト２１の駆動信号を生成する。具体的には、輝度値が目標輝度値より高い場合、青バックライト駆動値算出部５８は、輝度値を下げるために、現在、青バックライト２１を駆動している信号値より小さい駆動信号値を算出する。輝度値が目標輝度値より低い場合、青バックライト駆動値算出部５８は、輝度値を上げるために、現在、青バックライト２１を駆動している信号値より大きい駆動信号値を算出する。青バックライト駆動値算出部５８は、生成した駆動信号をバックライト駆動部７に出力する。
緑バックライト駆動値算出部５９は、緑バックライト輝度算出部５３が出力する実測に基づく輝度値と、緑バックライト目標輝度算出部５６が出力する目標輝度値とを比較する。緑バックライト駆動値算出部５９は、比較結果に基づき緑バックライト２２の駆動信号を生成し、生成した駆動信号をバックライト駆動部７に出力する。
赤バックライト駆動値算出部６０は、赤バックライト輝度算出部５４が出力する実測に基づく輝度値と、赤バックライト目標輝度算出部５７が出力する目標輝度値とを比較する。赤バックライト駆動値算出部６０は、比較結果に基づき赤バックライト２３の駆動信号を生成し、生成した駆動信号をバックライト駆動部７に出力する。
【００２８】
バックライト駆動部７は、演算部５の青バックライト駆動値算出部５８及び緑バックライト駆動値算出部５９、赤バックライト駆動値算出部６０が出力する各駆動信号に基づき、発光部２の青バックライト２１、緑バックライト２２及び赤バックライト２３を駆動する。
【００２９】
図２は、本実施形態に係るバックライト装置１における色間の干渉の一例を説明する図である。図２において、横軸はバックライトの色とカラーセンサが検出する色を表し、縦軸はバックライトの発光量とカラーセンサの検出値を表している。図２に示すように、例えば、破線で囲んだ丸ｇ１０１のように青バックライト２１のみを光量ａ１０１で発光させた場合、青カラーセンサ３１の検出値を変換部５１により変換した検出量ｇ１１１は、光量ａ１０１である。なお、符号ｇ１１２は、青バックライト２１の発光量である。
一方、緑カラーセンサ３２の検出値を変換部５１により変換した検出量は、破線で囲んだ丸ｇ１０２のように０である。同様に、赤カラーセンサ３３の検出値を変換部５１により変換した検出量は、破線で囲んだ丸ｇ１０３のように０である。すなわち、変換部５１は、従来技術で発生していた各カラーセンサに用いられているカラーフィルタによる色間干渉による成分を補正している。このため、青バックライト２１を発光した場合、図２のように変換部５１により変換された各カラーセンサの検出値は、青カラーセンサ３１の検出値のみとなる。同様に、緑バックライト２２を発光した場合、変換部５１により変換された各カラーセンサの検出値は、緑カラーセンサ３２の検出値のみとなるように式（１）により補正される。また、赤バックライト２３を発光した場合、変換部５１により変換された各カラーセンサの検出値は、赤カラーセンサ３３の検出値のみとなるように式（１）により補正される。
この結果、各カラーセンサに用いられているカラーフィルタの色間干渉によるバックライト制御への影響を低減することが可能になる。
【００３０】
例えば、従来技術によるバックライト装置では、各カラーセンサに用いられているカラーフィルタによる色間干渉は、約１／１０〜１／１００であった。一方、本実施形態のバックライト装置１の変換部５１で変換した後の色間干渉は、実測の結果、約１／１００〜１／１０００程度であった。本実施形態では、青カラーセンサ３１、緑カラーセンサ３２及び赤カラーセンサ３３に従来技術と同様にカラーフィルタを併用するため、色間干渉は１／１０００以下になる。
このため、バックライト制御装置１を、一般的な１０ビット（ｂｉｔ）でデジタル制御する場合、各カラーセンサの色間干渉によるノイズをバックライト装置１の検出限界（最下位ビット；ＬＳＢ（Ｌｅａｓｔ  Ｓｉｇｎｉｆｉｃａｎｔ  Ｂｉｔ））以下に抑圧できる。
【００３１】
図３は、本実施形態に係るバックライトの高速制御時における輝度の過渡振動の一例を説明する図である。図３において、横軸は時間、縦軸は輝度である。また、図３において、曲線破線２０１は光透過率の低いカラーフィルタを用いた場合の時間に対する輝度の変化を表し、曲線２０２は、本実施形態に係るバックライト装置１の時間に対する輝度の変化を表し、一点鎖線ｇ２０３は、目標輝度を表している。
カラーフィルタによる色間干渉を減少させるために、仮に光透過率の低いカラーフィルタを用いた場合、各カラーセンサの出力値が小さくなり、各カラーセンサの感度が低くなってしまう。このように光透過率の低いカラーフィルタを用いてバックライトを高速駆動すると、曲線破線２０１に示すように輝度色度の過渡振動が発生しやすくなる。このような過度振動が発生している場合、複数色のバックライト装置では、画面の白色を、例えば０．１秒以内で一定値の輝度に収束させることができず、画面の表示内容に追従させて（例えば毎秒６０回）、バックライトの輝度色度を高速に切り替えることが困難であった。
一方、本実施形態に係るバックライト装置１を用いた場合、制御されるべき輝度ｇ２０２は、目標輝度ｇ２０３に対する振動が従来技術に対して大幅に減少し、振動が収束するまでに時間も従来技術に対して大幅に減少している。
このため、本実施形態に係るバックライト装置１では、画面の白色を、単色バックライトの場合と同様に、約０．１秒以内で一定値の輝度に収束させることができる。この結果、画面の表示内容に追従させて（例えば毎秒６０回）、バックライトの輝度色度を高速に切り替えることが可能になる。
【００３２】
以上のように、本実施形態のバックライト装置１では、予め各色のバックライトのみを発光させた場合に算出した変換式を用いて、各色のカラーセンサの検出値を補正するようにした。この結果、本実施形態のバックライト装置１は、各カラーセンサのカラーフィルタで発生する色間干渉によるバックライト制御への影響を低減することができる。また、本実施形態のバックライト装置１は、光透過率の低いカラーフィルタを用いた場合と比較して、輝度色度の過渡振動を防ぎ、画面の白色を高速に収束させ、画面の表示内容に追従させてバックライトの輝度色度を高速に切り替えることができる。
このため、表示装置に本実施形態のバックライト装置１を用いた場合、色再現性が向上し、高速表示することができるので、例えば、グラフィックデザイン、放送局向けの高画質の画像確認用ディスプレイ、医療用ディスプレイなどを実現できる効果もある。
【００３３】
なお、本実施形態では、演算部５が変換部５１を備える例を説明したが、検出部３が変換部５１を備えるようにしてもよい。この場合、検出部３から出力される検出値が色間干渉を防ぐように変換した後の検出値を演算部５に出力することができる効果がある。また、変換部５１は、検出部３と演算部５との間に備えるようにしても良い。
【００３４】
また、変換部５１は、式（１）に示したように、信号フィルタとして機能している。このため、この変換部５１を、アナログ回路、デジタル回路、またはＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）により構成するようにしてもよい。
【００３５】
なお、本実施形態では、発光部２は、青バックライト２１、緑バックライト２２及び赤バックライト２３を備える例を説明したが、発光部２がＲＧＢ以外の色のバックライトを備えるようにしてもよい。この場合、発光部２が備えるバックライトの波長帯域に合わせたカラーセンサを検出部３が備え、発光部２が備えるバックライトの波長帯域に合わせたバックライト輝度算出部、目標輝度算出部及びバックライト駆動値算出部を演算部５が備えるようにしてもよい。また、変換部５１には、予め各色のバックライトを発光させて、式（１）に相当する変換式を算出して記憶させておくようにしてもよい。
また、本実施形態では、発光部２は、青バックライト２１、緑バックライト２２及び赤バックライト２３を備える例を説明したが、補色のＣＭＹＧ（シアン、マゼンダ、イエロー、グリーン）を備えるようにしてもよい。この場合も、発光部２が備えるバックライトの波長帯域に合わせたカラーセンサを検出部３が備え、発光部２が備えるバックライトの波長帯域に合わせたバックライト輝度算出部、目標輝度算出部及びバックライト駆動値算出部を演算部５が備えるようにしてもよい。また、変換部５１には、予め各色のバックライトを発光させて、式（１）に相当する変換式を算出して記憶させておくようにしてもよい。
【００３６】
なお、本実施形態のバックライト装置１は、液晶表示装置、携帯情報端末、ナビゲーションシステム、公告表示灯、電子看板（デジタルサイネージ；Ｄｉｇｉｔａｌ  Ｓｉｇｎａｇｅ）等にも適用してもよい。
【００３７】
なお、本実施形態のバックライト装置１を液晶表示装置に用いる場合、青バックライト２１、緑バックライト２２及び赤バックライト２３は、複数のブロックに分割され、分割された複数のブロックそれぞれについて個別に点灯を制御するようにしてもよい。
【００３８】
なお、実施形態の図１の演算部５の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ−ＲＯＭ等の可搬媒体、ＵＳＢ（Ｕｎｉｖｅｒｓａｌ  Ｓｅｒｉａｌ  Ｂｕｓ）  Ｉ／Ｆ（インタフェース）を介して接続されるＵＳＢメモリ、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００３９】
１・・・バックライト装置、２・・・発光部、２１・・・青バックライト、２２・・・緑バックライト、２３・・・赤バックライト、３・・・検出部、３１・・・青カラーセンサ、３２・・・緑カラーセンサ、３３・・・赤カラーセンサ、４・・・バックライト目標色設定部、５・・・演算部、５１・・・変換部、５２・・・青バックライト輝度算出部、５３・・・緑バックライト輝度算出部、５４・・・赤バックライト輝度算出部、５５・・・青バックライト目標輝度算出部、５６・・・緑バックライト目標輝度算出部、５７・・・赤バックライト目標輝度算出部、５８・・・青バックライト駆動値算出部、５９・・・緑バックライト駆動値算出部、６０・・・赤バックライト駆動値算出部、７・・・バックライト駆動部
【図１】
2012164638.tif 000004
【図２】
2012164638.tif 000005
【図３】
2012164638.tif 000006
【図４】
2012164638.tif 000007
【図５】
2012164638.tif 000008
【国際調査報告】
2012164638.tif 000009
2012164638.tif 000010
2012164638.tif 000011